(57)【要約】      （修正有）【課題】評価手法の高度化に容易かつ柔軟に対応でき、かつユーザ個々の要求に対応できるプラントの劣化状態評価システムおよび評価方法を提供すること。【解決手段】  各機器から亀裂・減肉情報を取得するデータ入力手段１１と、前記亀裂・減肉情報を、標準化された相互交換可能な記述方法によって記録する亀裂・減肉記録手段と、前記亀裂・減肉情報に基づき運転継続中における亀裂・減肉の成長予測・評価を行う予測・評価手段２１，２２と、前記予測・評価手段による成長予測・評価の結果を、標準化された相互交換可能な記述方法によって記録する成長予測・評価記録手段２３と、前記亀裂減肉記録手段、前記成長予測・評価記録手段および前記補修情報記録手段に記録された、亀裂・減肉の記録、運転継続中の亀裂・減肉の成長予測の記録、製造時の記録および補修記録を保管するデータベース手段５と、をそなえたことを特徴とするプラントの劣化状態評価システム。【選択図】  図１
2006201844.tif 000002
【特許請求の範囲】
【請求項１】
プラントにおける各機器の劣化状態を評価するプラントの劣化状態評価システムにおいて、
前記各機器から亀裂・減肉情報を取得するデータ入力手段と、
前記亀裂・減肉情報を、標準化された相互交換可能な記述方法によって記録する亀裂減肉記録手段と、
前記亀裂・減肉情報に基づき運転継続中における亀裂・減肉の成長予測・評価を行う予測・評価手段と、
前記予測・評価手段による成長予測・評価の結果を、標準化された相互交換可能な記述方法によって記録する成長予測・評価記録手段と、
前記機器の製造時情報を、標準化された相互交換可能な記述方法によって記録する製造時情報記録手段と、
前記プラントの運用開始後の補修情報を、標準化された相互交換可能な記述方法によって記録する補修情報記録手段と、
前記亀裂減肉記録手段、前記成長予測・評価記録手段および前記補修情報記録手段に記録された、亀裂・減肉の記録、運転継続中の亀裂・減肉の成長予測の記録、製造時の記録および補修記録を保管するデータベース手段と、
をそなえたことを特徴とするプラントの劣化状態評価システム。
【請求項２】
請求項１記載のプラントの劣化状態評価システムにおいて、
前記データベース手段は、前記記録を任意に組み込みおよび切り離しできることを特徴とするプラントの劣化状態評価システム。
【請求項３】
請求項１記載のプラントの劣化状態評価システムにおいて、
前記予測・評価手段による亀裂・減肉の成長予測は、標準化され相互交換可能な書式で記載され、前記システムに任意に組み込みおよび切り離しでき、かつ選択可能であることを特徴とするプラントの劣化状態評価システム。
【請求項４】
請求項３記載のプラントの劣化状態評価システムにおいて、
前記亀裂・減肉情報を、前記データベース手段に記録された記録と比較評価することにより最適な予測方法を提案する手段をさらに有することを特徴とするプラントの劣化状態評価システム。
【請求項５】
請求項１記載のプラントの劣化状態評価システムにおいて、
前記データベース手段に記録された記録を検索する検索手段をさらに有することを特徴とするプラントの劣化状態評価システム。
【請求項６】
請求項１記載のプラントの劣化状態評価システムにおいて、
前記ネットワークにより結合された複数の場所間で前記記録を通信する通信手段をさらに有することを特徴とするプラントの劣化状態評価システム。
【請求項７】
請求項６記載のプラントの劣化状態評価システムにおいて、
前記ネットワーク上の通信および制御を暗号化および復号化できる手段をさらに有することを特徴とするプラントの劣化状態評価システム。
【発明の詳細な説明】
【技術分野】
【０００１】
本発明は、プラントにおける各機器の状態を評価するためのシステムおよび方法に係わり、とくに劣化状態を評価するものに関する。
【背景技術】
【０００２】
プラントを運転するには、プラント機器の劣化状況を正確に把握しておくことが必要である。そこで、実機プラントでは、定期的に機器に対して亀裂や減肉などの発生状況の点検を実施し、その状態のままで次回の点検まで運転を継続するか、修理を行うかを定める手順を採用している。
【０００３】
（社）日本機械学会では、発電用原子力設備に対する検査と評価の方法に関する規格（非特許文献１参照）を定めている。この中では、発見された亀裂に対して、その寸法に応じて、そのまま継続使用するか、または、亀裂進展評価および破壊評価を実施して評価期間中の継続使用の可否を判断するかの手順が定められている。
【０００４】
一方、実機プラントの監視・診断・検査・保全に関しては、図１３（特許文献１の図８）に示すような構成のシステムがある。この図１３において、まず左側のプラント状態の監視データは、各種センサ、モニタ等を利用した監視システム９０１に取り込まれる。
【０００５】
この監視システム９０１では、現在のプラント状態データを蓄積し、過去のデータと合わせてプラントカルテ９０２に登録するとともに、状態予測システム９０３および異常診断システム９０４に送信する。状態予測システム９０３では、プラントカルテ９０２に登録されている相関式を基にして、ある信号の現在の観測値から他の信号の値を予測する。
【０００６】
異常診断システム９０４では、監視システム９０１から入力した信号の値と状態予測システム９０３から入力した信号の値とを比較することにより異常を検出し、異常要因の同定と波及事象の評価を行って運転制御情報９０８を出力する。また、ここで得られた診断結果は、新たな知見としてプラントカルテ９０２に登録される。
【０００７】
次に、図中右側の点検検査結果としては、機器・部材仕様、施工条件、点検・検査結果を検査システム９０５に入力し、過去のデータと合わせてプラントカルテ９０２に登録する。劣化因子評価システム９０６では、機器の材質、応力、水質、組成、加工情報に基づいて劣化や腐食電位を評価する。
【０００８】
これらの評価結果を基に、余寿命評価システム９０７では、亀裂進展挙動と強度劣化挙動とから余寿命評価を行う。そして、余寿命評価システム９０７では、余寿命が設計寿命より短い場合は水質・応力・環境改善を図るという対策選定を、また余寿命が設計寿命より長い場合には点検頻度を低減するという対策選定を、保全計画情報９０９として出力する。また、余寿命評価結果は、新たな知見としてプラントカルテ９０２に登録する。
【非特許文献１】「発電用原子力設備規格  維持規格」，JAME S NA1−2002，日本機械学会．
【特許文献１】特許第3147586号公報「プラントの監視診断方法」
【発明の開示】
【発明が解決しようとする課題】
【０００９】
従来のプラントの劣化状態評価システムおよび評価方法の第１の課題は、点検結果の評価が迅速にできない可能性があることである。実機プラントの点検において、亀裂や減肉が発見された場合に、当該プラントおよび類似プラントにおけるそれ以前の点検結果との比較およびそれ以前の点検時に行った亀裂・減肉の予測との比較を迅速に実施し、今回の点検の結果を評価する必要がある。
【００１０】
通常、このような点検および評価は内容が専門的であり、プラントユーザが実施することが困難であるために、専門の保全サービス会社が実施し、保全サービス会社から書類により報告される形を取り、点検時の生データおよび評価のモデルなどは保全サービス会社にプラント個々に独自の非標準的で特殊な記述方法で保管される。
【００１１】
しかし、今回の点検結果との定量的な比較を行いたい場合、書類の形または非標準的で特殊な記述方法で記述され保存された既存の点検結果および評価結果を用いると、専用の特殊な手段または特殊な解釈方法無しでは、点検時の生データおよび評価のモデルなどの情報を完全に再現できず、情報が不足するために精度良い評価ができない可能性がある。
【００１２】
従来のプラントの劣化状態評価システムおよび評価方法の第２の課題は、点検結果の評価の精度が不十分な点である。点検結果に基づき、将来の亀裂の進展および減肉の進捗を評価する必要があるが、評価には製造時の溶接記録および運用時の補修記録との突き合わせが必要になる。これらのデータは、施工会社に非標準的な特殊な記述方法で記述されて保存されており、ユーザが入手しても専用の特殊な手段または特殊な解釈方法無しにこれを評価に用いることが困難であるため、高精度の評価ができない可能性がある。
【００１３】
従来のプラントの劣化状態評価システムおよび評価方法の第３の課題は、過去の点検結果の蓄積による将来の亀裂・減肉の成長の予測精度向上が図れない可能性があることである。毎回の点検で発見された亀裂・減肉の経時的変化を観察し、他の同様な条件のプラントのデータとの統計的な比較により、当該プラントの個性を抽出し、亀裂進展および減肉の成長予測の精度を向上できる。
【００１４】
しかし、個々のプラントユーザが独自の非標準的で特殊な記述方法で保管する点検記録のみでは、複数のプラントの点検記録を比較することが困難となり、統計的処理を行うにはデータが不足して精度を十分向上できない可能性がある。
【００１５】
従来のプラントの劣化状態評価システムおよび評価方法の第４の課題は、点検結果の評価に当り適切な評価ツールの選択が困難なことにある。点検で発見された亀裂・減肉の影響に当っては、評価とその後の補修に要する費用を削減するために、
(1)簡易で迅速に評価できるものの、低精度であるため保守側想定をせざるを得ず、補修範囲が広くなって費用が高めになる手法、
(2)精度が高く将来のリスクを現実的に想定でき補修範囲を現実的に評価できるが、費用と時間を要する詳細手法、
の何れかを選択する必要がある。
【００１６】
しかし、このような選択は、蓄積された過去の評価データとの比較により実施するものであるため、個々のプラントユーザが保管する点検記録および評価経験のみでは判断が困難であり、費用と時間とを要する詳細手法を採用せざるを得ない。
【００１７】
従来のプラントの劣化状態評価システムおよび評価方法の第５の課題は、点検結果の評価に当って、科学技術の進歩による改良が迅速に反映できない点にある。点検結果の評価には高度なシミュレーション解析手法が用いられることが多いが、これは日々改良が加えられており、これが点検評価に反映されることが望ましい。
【００１８】
しかしながら、プラントの劣化状態評価システムが独自の非標準的な特殊な記述方法を採用していると、このような高度なシミュレーション解析手法を組み込むには専門的知識を必要とするため、個々のプラントユーザにとって人的および経済的な負担が大きく、問題がある。
【００１９】
従来のプラントの劣化状態評価システムおよび評価方法の第６の課題は、点検結果および評価結果の一貫性を確保することが困難なことである。同一ユーザの複数のプラントの同類の機器に対する毎回の点検および評価結果は、同様の記述内容で保管され、同様の手法で実施されることが望ましい。
【００２０】
しかしながら、点検および評価結果の保管方法ならびに評価手法を長期間に亘り統一的に運用することは、個々のプラントユーザにとって人的および経済的な負担が大きく、問題がある。
【００２１】
本発明は上述の点を考慮してなされたものであり、相互交換可能な製造、補修、点検および評価の記録を有し、保管した記録を相互に容易に評価に活用でき、複数の評価手法に対応でき、評価手法の高度化に容易かつ柔軟に対応でき、かつユーザ個々の要求に対応できるプラントの劣化状態評価システムおよび評価方法を提供することを目的とする。
【課題を解決するための手段】
【００２２】
上記目的達成のため、本発明は、
プラントにおける各機器の劣化状態を評価するプラントの劣化状態評価システムにおいて、
前記各機器から亀裂・減肉情報を取得するデータ入力手段と、
前記亀裂・減肉情報を、標準化された相互交換可能な記述方法によって記録する亀裂減肉記録手段と、
前記亀裂・減肉情報に基づき運転継続中における亀裂・減肉の成長予測・評価を行う予測・評価手段と、
前記予測・評価手段による成長予測・評価の結果を、標準化された相互交換可能な記述方法によって記録する成長予測・評価記録手段と、
前記機器の製造時情報を、標準化された相互交換可能な記述方法によって記録する製造時情報記録手段と、
前記プラントの運用開始後の補修情報を、標準化された相互交換可能な記述方法によって記録する補修情報記録手段と、
前記亀裂減肉記録手段、前記成長予測・評価記録手段および前記補修情報記録手段に記録された、亀裂・減肉の記録、運転継続中の亀裂・減肉の成長予測の記録、製造時の記録および補修記録を保管するデータベース手段と、
をそなえたことを特徴とするプラントの劣化状態評価システム、
を提供するものである。
【発明の効果】
【００２３】
本発明は上述のように、標準化された相互交換可能な記述方法によって記録された成長予測・評価、製造時情報および補修情報をデータベースとして持つようにしたため、保管した製造、補修、点検および評価の記録を相互に容易に評価に活用できる。このため、複数の評価手法に対応できるとともに、評価手法の高度化に容易かつ柔軟に対応でき、しかもユーザ個々の要求にも対応することができる。
【発明を実施するための最良の形態】
【００２４】
以下、本発明に係るプラントの劣化状態評価システムおよび評価方法の実施形態について、図面を参照して説明する。
【実施形態１】
【００２５】
図１は、本発明の実施形態１を示している。この実施形態１は、次の要素１ないし６、すなわち、
亀裂・減肉情報１１を、点検記録標準化記述システム１２によって標準化された相互交換可能な記述に変換する点検記録記述システム１、
製造記録、補修記録および点検記録からなる入力データ２５を成長予測用計算機２１に取り込み、成長予測・評価モデルおよび評価方法２２にしたがって亀裂・減肉の評価を行い、評価結果２４を評価結果標準化記述システム２３により標準化された相互交換可能な記述に変換する亀裂・減肉成長予測システム２、
製造記録３１を、製造記録標準化記述システム３２によって標準化された相互交換可能な記述に変換する製造記録記述システム３、
補修記録４１を、補修記録標準化記述システム４２によって標準化された相互交換可能な記述に変換する補修記録記述システム４、
これらの記録を保管するデータベース５、および
ユーザが入出力を行うユーザ入出力端末６、
がオンラインで結合されたものである。
【００２６】
このように構成された実施形態１において、点検記録記述システム１において、点検により得られた亀裂・減肉情報１１は、点検記録標準化記述システム１２によって標準化された相互交換可能な記述方法で記述され、オンラインによってデータベース５に送られる。
【００２７】
また、データベース５には、製造記録記述システム３における製造記録３１が製造記録標準化記述システム３２により標準化された上で、オンラインによって送られてくる。同様に、補修記録記述システム４における補修記録４１が補修記録標準化記述システム４２により標準化されて、オンラインによって送られてくる。さらに、端末６からユーザが必要に応じて入力したデータが送られてくる。これら点検記録１１、製造記録３１および補修記録４１が、相互交換可能な記述方法で記述され、オンラインによってデータベース５に送られて格納される。
【００２８】
このため、亀裂・減肉成長予測システム２は、データベース５から製造記録、補修記録および点検記録からなる入力データ２５を成長予測用計算機２１に取り込み、成長予測・評価モデルおよび評価方法２２にしたがって亀裂・減肉の評価を行い、評価結果２４を評価結果標準化記述システム２３により標準化された相互交換可能な記述に変換する。変換結果は、オンラインによって端末６に出力することができる。
【００２９】
このような構成により、標準化された相互交換可能な記述方法による入力を用いて、亀裂・減肉の評価を実施するため、過去の点検記録を容易に読み出すことができ、亀裂・減肉の成長予測を精度良く行える。
【実施形態２】
【００３０】
図２は、本発明の実施形態２を示している。なお、実施形態１と同一の要素には同一の符号を付し、重複する説明は省略する。
【００３１】
この実施形態２は、複数のデータベース５１および５２が設置されており、これらをデータベース接続切り離しシステム５０でシステムに接続したり、またはシステムから切り離したりすることが任意にできるようになっている。
【００３２】
これによって、２つのデータベース５１，５２のうちで評価に必要なデータベースのみをシステムに接続することができる。このため、亀裂・減肉成長予測システム２が、亀裂・減肉成長を迅速に評価できる。
【００３３】
なお、この実施形態２は、データベースの数が２個である場合に対応しているが、データベースの数はそれ以上であってもよい。
【実施形態３】
【００３４】
図３は、本発明の実施形態３を示している。なお、実施形態１と同一の要素には同一の符号を付し、重複する説明は省略する。
【００３５】
この実施形態３は、亀裂・減肉成長予測システム２には、成長予測・評価モデル／評価手法２７および成長予測・評価モデル／評価手法２８からなる複数の評価手法を、成長予測・評価法組み込み切り離しシステム２６によってシステムに接続したり、あるいはシステムから切り離したりすることが任意にできるようになっている。
【００３６】
これによって、２つの成長予測・評価モデル／評価手法２７および２８のうちで点検対象に適した亀裂・減肉の成長予測・評価法のみをシステムに接続して評価の迅速化を図ることができる。さらに、実施形態３では、成長予測・評価モデル／評価手法をシステムと独立に制作・改良することができるため、科学技術の発展による成長予測・評価モデル／評価手法の進歩を迅速に反映できる特徴を有する。
【００３７】
なお、実施形態３は、成長予測・評価モデル／評価手法が２ケースである場合に対応しているが、それ以上のケースではより多数の成長予測・評価モデル／評価手法が存在してもよい。
【実施形態４】
【００３８】
図４は、本発明の実施形態４を示している。なお、実施形態１と同一の要素には同一の符号を付し、重複する説明は省略する。この実施形態４は、データベース５に対して条件を設定して、その条件に合致するデータを抽出できるデータベース検索システム５３を備えている。
【００３９】
これにより、点検結果の評価に当り、当該プラントの過去のデータのみでなく類似のプラントあるいは類似の点検個所の過去のデータを検索して利用できるようになるため、過去の点検結果の蓄積による将来の亀裂・減肉の成長の予測精度向上を図ることが可能となる。
【実施形態５】
【００４０】
図５は、本発明の実施形態５を示している。なお、実施形態１と同一の要素には同一の符号を付し、重複する説明は省略する。
【００４１】
この実施形態５は、実機プラント（Ａ）１００内に点検記録記述システム１０１およびユーザ入出力端末１０６を設置し、実機プラント（Ｂ）２００内に点検記録記述システム２０１およびユーザ入出力端末２０６を設置し、実機プラント（Ｃ）２００内に点検記録記述システム３０１およびユーザ入出力端末３０６を設置し、プラントメーカ４００内に製造記録記述システム４０３、補修記録記述システム４０４およびユーザ入出力端末４０６を設置し、プラントメーカ５００内に亀裂・減肉成長予測システム２、製造記録記述システム５０３およびユーザ入出力端末５０６を設置し、これらをデータベース５とネットワーク７とによって相互に接続するものである。
【００４２】
実施形態５は、複数の異なる場所に必要なシステムを分散して設置しネットワーク７で結合しているために、標準化された相互交換可能な記述方法によるデータの授受が迅速に実施できる。
【００４３】
なお、実施形態５は、ネットワークに接続する実機プラントの数が３個所およびプラントメーカの数が２社の場合を示しているが、これ以外の数であってもよい。
【実施形態６】
【００４４】
図６は、本発明の実施形態６を示している。なお、実施形態５と同一の要素には同一の符号を付し、重複する説明は省略する。
【００４５】
この実施形態６は、実機プラント（Ａ）１００とネットワーク７との間に暗号／復号システム１０８を、実機プラント（Ｂ）２００とネットワーク７との間に暗号／復号システム２０８を、実機プラント（Ｃ）３００とネットワーク７との間に暗号／復号システム３０８を、プラントメーカ４００とネットワーク７との間に暗号／復号システム４０８を、プラントメーカ５００とネットワーク７との間に暗号／復号システム５０８を、それぞれ設置している。
【００４６】
実施形態６は、標準化された相互交換可能な記述方法によるデータの授受を暗号化してネットワーク７上で取り扱うことができる。このため、ネットワーク７は専用回線である必要が無く一般のインターネットの利用が可能となり、プラントの劣化状態評価システムを安価に構成でき、かつ迅速なデータ授受が可能となる。
【００４７】
なお、実施形態６は、ネットワークに接続する実機プラントの数が３個所およびプラントメーカの数が２社の場合を示しているが、これ以外の数であってもよい。
【実施形態７】
【００４８】
図７は、本発明の実施形態７を示している。なお、実施形態５と同一の要素には同一の符号を付し、重複する説明は省略する。
【００４９】
この実施形態７は、プラント（Ｂ）２００にプラントＢ設置データベース２０５およびデータベース検索システム２５３を設置し、プラントメーカ４００にシステムの制御端末４０９を設置し、プラントメーカ５００にプラントメーカ設置データベース５０５、データベース検索システム５５３およびシステム制御端末５０９を設置している。
【００５０】
実施形態７は、プラント（Ｂ）２００に設置したプラント設置データベース２０５に対するデータベース検索システム２５３およびプラントメーカ５００に設置したプラントメーカ設置データベース５０５に対するデータベース検索システム５５３を、プラントメーカ４００に設置のシステム制御端末４０９およびプラントメーカ５００に設置のシステム制御端末５０９によって制御することができる。このため、標準化された相互交換可能な記述方法によるデータを管理設置場所に依存することなく取り出すことができ、プラントの劣化状態評価システムの効率的な運用を図ることができる。
【００５１】
なお、実施形態７は、ネットワークに接続する実機プラントの数が３個所、プラントメーカの数が２社およびデータベースが２個所に設置される場合を示しているが、これ以外の数であってもよい。
【実施形態８】
【００５２】
図８は、本発明の実施形態８を示している。なお、実施形態１と同一の要素には同一の符号を付し、重複する説明は省略する。
【００５３】
この実施形態８は、データベース５にデータサーバ（データベースアクセス権判定システム）５４を設置し、ユーザ個々に設定したアクセス権を判定し、データベースの閲覧内容を制御できる構成となっている。
【００５４】
これにより、ユーザ個々のノウハウなどに関連する情報を他のユーザに無制限に公開することなく、必要な情報を公開することが可能となり、過去の点検結果の蓄積を有効に亀裂・減肉の成長評価に生かすことができる。
【実施形態９】
【００５５】
図９は、本発明の実施形態９を示している。なお、実施形態１と同一の構成には同一の符号を付し、重複する説明は省略する。
【００５６】
この実施形態９は、亀裂・減肉の成長予測・評価モデル／評価手法２２において、データベース５に保管されている当該点検対象に関係のある亀裂・減肉情報５５の統計処理２６を行ってそのばらつきを求め、次いで不確定性を考慮する成長予測法７０により不確定性を含む成長予測曲線７１を用いて、成長予測システムへの入力データ２５に基づき評価結果の不確定性を定量化した成長予測７３を行うことができる。
【００５７】
実施形態９により、不確定性を定量化できないためにデータの上限を用いた成長予測７２に比較し、不確定性が定量化できることにより精度を向上させた不確定性を定量化した成長予測７３を提供することができる。
【実施形態１０】
【００５８】
図１０は、本発明の実施形態１０を示している。なお、実施形態３と同一の構成には同一の符号を付し、重複する説明は省略する。
【００５９】
この実施形態１０は、亀裂・減肉の成長予測・評価モデル／評価手法２２において、成長予測システムの入力データ２５およびデータベース５に保管されている亀裂・減肉情報５５に基づき、成長予測法選択システム２９により最適な評価法を選択し、成長予測・評価手法組み込み切り離しシステム２６により、その評価法をシステムに組み込むことができる。
【００６０】
これにより、点検対象に応じた最適な評価法を用いることが容易にでき、プラントの劣化状態評価システムの有効性を高めることができる。
【実施形態１１】
【００６１】
図１１は、本発明の実施形態１１を示している。なお、実施形態１と同一の構成には同一の符号を付し、重複する説明は省略する。
【００６２】
この実施形態１１は、ユーザ入出力端末６から複数の異なるユーザに対してユーザ向け報告書書式６１および６２を出力でき、常に同一書式の報告書の作成ができるとともに、ユーザ個々に対応できる。
【実施形態１２】
【００６３】
図１２は、本発明の実施形態１２を示している。なお、実施形態１と同一の構成には同一の符号を付し、重複する説明は省略する。
【００６４】
この実施形態１２は、ユーザ入出力端末６にプラントの劣化状態評価システムが必要とする条件入力に対応した入力条件メニュー６３が提示され、ユーザはこれにしたがって条件設定ができるようになっており、容易にプラント劣化状態評価を行うことができる。
【図面の簡単な説明】
【００６５】
【図１】本発明の実施形態１のシステム構成を示す構成図。
【図２】本発明の実施形態２のシステム構成を示す構成図。
【図３】本発明の実施形態３のシステム構成を示す構成図。
【図４】本発明の実施形態４のシステム構成を示す構成図。
【図５】本発明の実施形態５のシステム構成を示す構成図。
【図６】本発明の実施形態６のシステム構成を示す構成図。
【図７】本発明の実施形態７のシステム構成を示す構成図。
【図８】本発明の実施形態８のシステム構成を示す構成図。
【図９】本発明の実施形態９のシステム構成を示す構成図。
【図１０】本発明の実施形態１０のシステム構成を示す構成図。
【図１１】本発明の実施形態１１のシステム構成を示す構成図。
【図１２】本発明の実施形態１２のシステム構成を示す構成図。
【図１３】従来のプラントの劣化状態評価システムの構成を示す構成図。
【符号の説明】
【００６６】
１  点検記録記述システム
２  亀裂・減肉成長予測システム
３  製造記録記述システム
４  補修記録記述システム
５  データベース
６  ユーザ入出力端末
７  ネットワーク
１１  亀裂・減肉情報
１２  点検記録標準化記述システム
２１  亀裂・減肉成長予測用計算機
２２  成長予測・評価モデル／評価手法
２３  評価結果標準化記述システム
２４  亀裂・減肉成長の評価結果
２５  成長予測システムへの入力データ
２６  成長予測・評価手法組み込み切り離しシステム
２７，２８  成長予測・評価モデル／評価手法
２９  成長予測・評価法選択システム
３１  製造記録
３２  製造記録標準化記述システム
４１  運用開始後の補修記録
４２  補修記録標準化記述システム
５０  データベース接続切り離しシステム
５１，５２  データベース
５３  データベース検索システム
５４  データサーバ（データベースアクセス権判定システム）
５５  データベースに保管されている亀裂・減肉情報
６１，６２  ユーザＡ向け報告書書式
６３  入力条件メニュー（画面表示）
７０  不確定性を考慮した成長予測法
７１  不確定性含む成長予測曲線
７２  データの上限を用いた成長予測
７３  不確定性を定量化した成長予測  
１００  実機プラントＡ
１０１  プラントＡにおける点検記録記述システム
１０６  プラントＡにおけるユーザ入出力端末
１０８  プラントＡにおける暗号／復号システム
２００  実機プラントＢ
２０２  プラントＢにおける点検記録記述システム
２０５  プラントＢに設置したデータベース
２０６  プラントＢにおけるユーザ入出力端末
２０８  プラントＢにおける暗号／復号システム
２５３  プラントＢに設置したデータベース検索システム
３００  実機プラントＣ
３０２  プラントＣにおける点検記録記述システム
３０６  プラントＣにおけるユーザ入出力端末
３０８  プラントＣにおける暗号／復号システム
４００  プラントメーカ
４０３  プラントメーカにおける製造記録記述システム
４０４  プラントメーカにおける補修記録記述システム
４０６  プラントメーカにおけるユーザ入出力端末
４０８  プラントメーカにおける暗号／復号システム
４０９  システム制御端末
５００  プラントメーカ
５０３  プラントメーカにおける製造記録記述システム
５０５  プラントメーカに設置したデータベース
５０６  プラントメーカにおけるユーザ入出力端末
５０８  プラントメーカにおける暗号／復号システム
５０９  システム制御端末
５５３  プラントメーカに設置したデータベース検索システム
９０１  監視システム
９０２  プラントカルテ
９０３  状態予測システム
９０４  異常診断システム
９０５  検査システム
９０６  劣化因子評価システム
９０７  余寿命評価システム
９０８  運転制御情報
９０９  保全計画情報
【図１】
2006201844.tif 000003
【図２】
2006201844.tif 000004
【図３】
2006201844.tif 000005
【図４】
2006201844.tif 000006
【図５】
2006201844.tif 000007
【図６】
2006201844.tif 000008
【図７】
2006201844.tif 000009
【図８】
2006201844.tif 000010
【図９】
2006201844.tif 000011
【図１０】
2006201844.tif 000012
【図１１】
2006201844.tif 000013
【図１２】
2006201844.tif 000014
【図１３】
2006201844.tif 000015